(57)【特許請求の範囲】
【請求項１】
建造物の開口部において水を堰き止める浸水防止装置において、
前記開口部の左右の側部に沿って上下に設けられた左右の帯状防水シートと、
前記左右の帯状防水シートの内側の縁に沿って設けられた左右の第一防水ファスナーエレメント列と、
前記左右の帯状防水シートの間に配置される防水シートと、
前記防水シートの左右の縁に沿って設けられ、前記左右の第一防水ファスナーエレメント列と噛み合うことによって前記防水シートを前記左右の帯状防水シートに連結し、前記左右の第一防水ファスナーエレメント列から分離可能な左右の第二防水ファスナーエレメント列と、
前記開口部を左右に横切るよう前記開口部の底面に形成された凹部と、
前記凹部に嵌め込まれる埋込材と、を備え、
前記左右の帯状防水シートの下部が前記開口部の側部から垂下し、前記埋込材が前記左右の帯状防水シートの下部及び前記防水シートの下部の上から前記凹部に嵌め込まれ、前記左右の帯状防水シートの下部及び前記防水シートの下部が前記埋込材によって折り返されるとともに、前記凹部の内面と前記埋込材との間に挟まれており、
前記第一防水ファスナーエレメント列及び前記第二防水ファスナーエレメント列は、前記左右の帯状防水シート及び前記防水シートの上端から下端まで連続して設けられ、
前記防水シートは、前記第二防水ファスナーエレメント列を前記第一防水ファスナーエレメント列から分離することで、前記左右の帯状防水シートから完全に分離可能となっている
ことを特徴とする浸水防止装置。
【請求項２】
請求項１に記載の浸水防止装置において、
前記凹部から前記埋込材の抜けを防止する抜け止め部を更に備える
ことを特徴とする浸水防止装置。
【請求項３】
請求項１又は２に記載の浸水防止装置において、
前記凹部の内面に取り付けられたシールを更に備える
ことを特徴とする浸水防止装置。
【請求項４】
請求項３に記載の浸水防止装置において、
前記シールが前記凹部から上に延びて、前記左右の帯状防水シートとその取付面との間に挟まれる
ことを特徴とする浸水防止装置。
【請求項５】
請求項１から４の何れか一項に記載の浸水防止装置において、
前記左右の第一防水ファスナーエレメント列及び前記左右の第二防水ファスナーエレメント列に沿って下にスライドすることによって前記左右の第一防水ファスナーエレメント列と前記左右の第二防水ファスナーエレメント列を噛み合わせ、前記左右の第一防水ファスナーエレメント列及び前記左右の第二防水ファスナーエレメント列に沿って上にスライドすることによって前記左右の第一防水ファスナーエレメント列と前記左右の第二防水ファスナーエレメント列を分離する左右のファスナースライダーを更に備える
ことを特徴とする浸水防止装置。
【請求項６】
建造物の開口部に防水シートを張った状態に支持するシート支持装置において、
前記開口部の左右の側部に沿って上下に設けられた左右の帯状防水シートと、
前記左右の帯状防水シートの内側の縁に沿って設けられ、前記防水シートの左右の縁に沿って設けられた第二防水ファスナーエレメント列と噛み合い及び分離可能な左右の第一防水ファスナーエレメント列と、
前記開口部を左右に横切るよう前記開口部の底面に形成された凹部と、を備え、
前記左右の帯状防水シートの下部が前記開口部の側部から垂下し、埋込材が前記凹部内で折り返された前記左右の帯状防水シートの下部の上から前記凹部に嵌め込み可能であり、
前記第一防水ファスナーエレメント列及び前記第二防水ファスナーエレメント列は、前記左右の帯状防水シート及び前記防水シートの上端から下端まで連続して設けられ、
前記防水シートは、前記第二防水ファスナーエレメント列を前記第一防水ファスナーエレメント列から分離することで、前記左右の帯状防水シートから完全に分離可能となっている
ことを特徴とするシート支持装置。
【発明の詳細な説明】
【技術分野】
【０００１】
本発明は、浸水防止装置及びシート支持装置に関し、特に雨水等を開口部で堰き止めて、雨水等の浸入を防止する技術に関する。
【背景技術】
【０００２】
特許文献１には、建造物の出入口の堰止・防水に関する技術が次の通りに開示されている（以下、特許文献１で使用した符号を括弧をして用いる。）。つまり、出入口を囲む左右の壁部（２ａ，２ｂ）及び床部（３）の内側の面には、溝（２０ａ，２０ｂ，２１）がそれぞれ形成されており、左右の溝（２０ａ，２０ｂ）の下端が下の溝（２１）の左端及び右端にそれぞれ続いている。鋼管（７）が左右の壁部（２ａ，２ｂ）の間に架設されており、鋼管（７）からシート体（５）が吊り下げられている。シート体（５）の左右及び下の縁部分が折り返されて、折り返し部が溝（２０ａ，２０ｂ，２１）に入り込んでいる。折り返し部の内側には弾性体（３１）が設けられ、その弾性体（３１）が溝（２０ａ，２０ｂ，２１）に嵌め込まれることによって、シート体（５）の縁部分が左右の壁部（２ａ，２ｂ）及び床部（３）に接続されている。
【先行技術文献】
【特許文献】
【０００３】
【特許文献１】特開２０１０−７７６８５号公報
【発明の概要】
【発明が解決しようとする課題】
【０００４】
特許文献１に記載の技術では、シート体（５）の縁部分の止水性を確保しつつ、シート体（５）を設置する作業が煩雑であり、弾性体を左右及び下の溝に同時に嵌め込むことが困難である。つまり、シート体（５）の左縁部分を折り返しながら左の弾性体を上から下に徐々に溝に嵌め込み、次に、シート体（５）の下縁部分を折り返しながら下の弾性体を左から右に徐々に溝に嵌め込み、次に、シート体（５）の右縁部分を折り返しながら右の弾性体を下から上に徐々に溝に嵌め込むことになる。
【０００５】
そこで、本発明が解決しようとする課題は、出入口等の開口部で雨水等を堰き止めるシートを簡単に設置できるようにすることである。
【課題を解決するための手段】
【０００６】
上記課題を解決するための請求項１に係る発明は、例えば図１〜図３及び図６に示すように、建造物の開口部２において水を堰き止める浸水防止装置１０において、前記開口部２の左右の側部に沿って上下に設けられた左右の帯状防水シート３２Ｌ，３２Ｒと、前記左右の帯状防水シート３２Ｌ，３２Ｒの内側の縁に沿って設けられた左右の第一防水ファスナーエレメント列３４Ｌ，３４Ｒと、前記左右の帯状防水シート３２Ｌ，３２Ｒの間に配置される防水シート２１と、前記防水シート２１の左右の縁に沿って設けられ、前記左右の第一防水ファスナーエレメント列３４Ｌ，３４Ｒと噛み合うことによって前記防水シート２１を前記左右の帯状防水シート３２Ｌ，３２Ｒに連結し、前記左右の第一防水ファスナーエレメント列３４Ｌ，３４Ｒから分離可能な左右の第二防水ファスナーエレメント列２２Ｌ，２２Ｒと、前記開口部２を左右に横切るよう前記開口部２の底面４に形成された凹部３８と、前記凹部３８に嵌め込まれる埋込材４５と、を備え、前記左右の帯状防水シート３２Ｌ，３２Ｒの下部が前記開口部２の側部から垂下し、前記埋込材４５が前記左右の帯状防水シート３２Ｌ，３２Ｒの下部及び前記防水シート２１の下部の上から前記凹部３８に嵌め込まれ、前記左右の帯状防水シート３２Ｌ，３２Ｒの下部及び前記防水シート２１の下部が前記埋込材４５によって折り返されるとともに、前記凹部３８の内面と前記埋込材４５との間に挟まれており、前記第一防水ファスナーエレメント列３４Ｌ，３４Ｒ及び前記第二防水ファスナーエレメント列２２Ｌ，２２Ｒは、前記左右の帯状防水シート３２Ｌ，３２Ｒ及び前記防水シート２１の上端から下端まで連続して設けられ、前記防水シート２１は、前記第二防水ファスナーエレメント列２２Ｌ，２２Ｒを前記第一防水ファスナーエレメント列３４Ｌ，３４Ｒから分離することで、前記左右の帯状防水シート３２Ｌ，３２Ｒから完全に分離可能となっていることを特徴とする浸水防止装置１０である。
【０００７】
請求項６に係る発明は、例えば図１〜５に示すように、建造物の開口部２に防水シート２１を張った状態に支持するシート支持装置３０において、前記開口部２の左右の側部に沿って上下に設けられた左右の帯状防水シート３２Ｌ，３２Ｒと、前記左右の帯状防水シート３２Ｌ，３２Ｒの内側の縁に沿って設けられ、前記防水シート２１の左右の縁に沿って設けられた第二防水ファスナーエレメント列２２Ｌ，２２Ｒと噛み合い及び分離可能な左右の第一防水ファスナーエレメント列３４Ｌ，３４Ｒと、前記開口部２を左右に横切るよう前記開口部２の底面４に形成された凹部３８と、を備え、前記左右の帯状防水シート３２Ｌ，３２Ｒの下部が前記開口部２の側部から垂下し、埋込材４５が前記左右の帯状防水シート３２Ｌ，３２Ｒの下部の上から前記凹部３８に嵌め込み可能であり、前記第一防水ファスナーエレメント列３４Ｌ，３４Ｒ及び前記第二防水ファスナーエレメント列２２Ｌ，２２Ｒは、前記左右の帯状防水シート３２Ｌ，３２Ｒ及び前記防水シート２１の上端から下端まで連続して設けられ、前記防水シート２１は、前記第二防水ファスナーエレメント列２２Ｌ，２２Ｒを前記第一防水ファスナーエレメント列３４Ｌ，３４Ｒから分離することで、前記左右の帯状防水シート３２Ｌ，３２Ｒから完全に分離可能となっていることを特徴とするシート支持装置３０である。
【０００８】
請求項１，６に係る発明によれば、防水シート２１の左右の第二防水ファスナーエレメント列２２Ｌ，２２Ｒを左右の帯状防水シート３２Ｌ，３２Ｒの第一防水ファスナーエレメント列３４Ｌ，３４Ｒに噛み合わせることによって、開口部２の左側及び右側の浸水防止を実現することができる。
埋込材４５が左右の帯状防水シート３２Ｌ，３２Ｒの下部及び防水シート２１の下部の上から凹部３８に嵌め込まれ、左右の帯状防水シート３２Ｌ，３２Ｒの下部及び防水シート２１の下部が埋込材４５によって折り返され、左右の帯状防水シート３２Ｌ，３２Ｒの下部及び防水シート２１の下部が凹部３８の内面と埋込材４５との間に挟まれることによって、開口部２の下側の浸水防止を実現することができる。
防水シート２１の左右の縁部の取り付けには防水ファスナーを利用したので、防水シート２１の設置作業が容易である。つまり、防水シート２１の左右の縁部を溝に装着する作業ではなく、左右の第二防水ファスナーエレメント列２２Ｌ，２２Ｒと左右の第一防水ファスナーエレメント列３４Ｌ，３４Ｒを噛み合わせる作業であるため、防水シート２１の設置作業が容易である。また、防水シート２１の縁部を凹部３８に装着する作業は防水シート２１の下部に対してのみ行うだけで済むため、防水シート２１の設置作業が容易である。
防水シート２１が第一防水エレメント列及び第二防水エレメント列によって左右の帯状防水シート３２Ｌ，３２Ｒに連結されているので、防水シート２１及び帯状防水シート３２Ｌ，３２Ｒに水圧がかかっても、防水シート２１が開口部２から外れにくい。
【０００９】
請求項２に係る発明は、請求項１に記載の浸水防止装置１０において、前記凹部から前記埋込材の抜けを防止する抜け止め部を更に備えることを特徴とする浸水防止装置１０である。
【００１０】
請求項２に係る発明によれば、抜け止め部によって凹部３８から埋込材４５の抜けが防止されるので、防水シートの下側の浸水をより防止することができる。
【００１１】
請求項３に係る発明は、請求項１又は２に記載の浸水防止装置１０において、前記凹部３８の内面に取り付けられたシール３９を更に備えることを特徴とする浸水防止装置１０である。
【００１２】
請求項３に係る発明によれば、防水シート２１及び帯状防水シート３２Ｌ，３２Ｒの下部と凹部３８の内面との間をシール３９によって止水することができる。
【００１３】
請求項４に係る発明は、請求項３に記載の浸水防止装置１０において、前記シール３９が前記凹部３８から上に延びて、前記左右の帯状防水シート３２Ｌ，３２Ｒとその取付面との間に挟まれることを特徴とする浸水防止装置１０である。
【００１４】
請求項４に係る発明によれば、シール３９の一部が帯状防水シート３２Ｌ，３２Ｒとその取付面との間に挟まれているので、開口部２の左側及び右側の止水性が向上する。
【００１５】
請求項５に係る発明は、請求項１から４の何れか一項に記載の浸水防止装置１０において、前記左右の第一防水ファスナーエレメント列３４Ｌ，３４Ｒ及び前記左右の第二防水ファスナーエレメント列２２Ｌ，２２Ｒに沿って下にスライドすることによって前記左右の第一防水ファスナーエレメント列３４Ｌ，３４Ｒと前記左右の第二防水ファスナーエレメント列２２Ｌ，２２Ｒを噛み合わせ、前記左右の第一防水ファスナーエレメント列３４Ｌ，３４Ｒ及び前記左右の第二防水ファスナーエレメント列２２Ｌ，２２Ｒに沿って上にスライドすることによって前記左右の第一防水ファスナーエレメント列３４Ｌ，３４Ｒと前記左右の第二防水ファスナーエレメント列２２Ｌ，２２Ｒを分離する左右のファスナースライダー２３Ｌ，２３Ｒを更に備えることを特徴とする浸水防止装置１０である。
【００１６】
請求項５に係る発明によれば、浸水した状態であっても、防水シート２１を帯状防水シート３２Ｌ，３２Ｒに連結する作業を容易に行うことができる。つまり、防水ファスナーはファスナースライダー２３Ｌ，２３Ｒを下にスライドすることによって第一防水ファスナーエレメント列３４Ｌ，３４Ｒと第二防水ファスナーエレメント列２２Ｌ，２２Ｒを噛み合わせるタイプであるため、第一防水ファスナーエレメント列３４Ｌ，３４Ｒと第二防水ファスナーエレメント列２２Ｌ，２２Ｒの上端同士を連結する作業は水の中で行わずとも済む。
【発明の効果】
【００１７】
本発明によれば、防水シートの左右の縁部の取り付けには防水ファスナーを利用したので、防水シートの設置作業が容易である。
【図面の簡単な説明】
【００１８】
【図１】開口部に設置された浸水防止装置の斜視図である。
【図２】図１に示すII部の拡大図である。
【図３】出入口の中心に沿った鉛直断面図である。
【図４】開口部に設置されたシート支持装置の斜視図である。
【図５】図４に示すV部の拡大図である。
【図６】防水面材の正面図である。
【図７】浸水防止装置を組み立てる際の一工程を示した斜視図である。
【図８】浸水防止装置を組み立てる際の一工程を示した斜視図である。
【図９】浸水防止装置を組み立てる際の一工程を示した斜視図である。
【図１０】変形例のシート支持装置の斜視図である。
【図１１】変形例における出入口の中心に沿った鉛直断面図である。
【図１２】変形例における出入口の中心に沿った鉛直断面図である。
【図１３】変形例における出入口の中心に沿った鉛直断面図である。
【図１４】変形例における出入口の中心に沿った鉛直断面図である。
【図１５】変形例の埋込材の左部の斜視図である。
【図１６】変形例の浸水防止装置の左下部の斜視図である。
【図１７】変形例の浸水防止装置の右下部の拡大図である。
【発明を実施するための形態】
【００１９】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００２０】
図１は、建造物の開口部２に設けられた浸水防止装置１０を示した斜視図である。図２は、図１に示すII部の拡大図である。図３は、開口部２の中心に沿った鉛直断面図である。図４は、この浸水防止装置１０のシート支持装置３０の斜視図である。図５は、図４に示すV部の拡大図である。図６は浸水防止装置１０の防水面材２０の正面図である。図７〜図９は、浸水防止装置１０の組立工程図である。
【００２１】
建造物は、例えば建物（例えば、住宅、集合住宅、ビルディング、駅舎その他の建築物）の躯体（具体的には外壁であり、より具体的には一階又は地階の外壁）、塀、門柱、通路の側壁、地下出入口構造物等である。ここで、地下出入口構造物とは、地下施設（例えば、地下鉄の駅構内、地下通路、地下街、地下室、地下駐車場等）から地上への階段又は通路における地上の出入口を囲う構造物をいう。
【００２２】
開口部２の縁に沿った面が鉛直となっており、開口部２が底面４及びその左右の側部３Ｌ，３Ｒによって囲われている。開口部２の上側が開放されているか、開口部２の上側が上部によって囲われている。開口部２の側部３Ｌ，３Ｒは例えば外壁又は垂直材（例えば、支柱、門柱、柱、縦枠）である。
【００２３】
この開口部２には、開口部２を開閉する開閉体（例えば扉、門扉、開き戸、引違い戸、引き戸、折り戸、はね上げ門扉、鎧戸（シャッター）、自動ドア、引違い窓、掃き出し窓、地窓）９が設けられている。開閉体９が開き戸である場合、浸水時に後述の防水面材２０を設置した状態で開閉体９を開閉できるように、開閉体９が内開き戸であることが好ましい。
【００２４】
この浸水防止装置１０は、防水面材２０と、防水面材２０を張った状態に且つその防水面材２０を立てた状態にして防水面材２０を支持するシート支持装置３０と、を備える。図１及び図２に示すように、豪雨等の非常時において、防水面材２０がシート支持装置３０に組み付けられて、その防水面材２０がシート支持装置３０によって固定され、開口部２の下部が防水面材２０によって塞がれる。なお、防水面材２０及びシート支持装置３０を開口部２の側部３Ｌ，３Ｒの上下長以上として、開口部２の全体が防水面材２０によって塞がれてもよい。
【００２５】
図５は防水面材２０の正面図である。防水面材２０は、防水シート２１、防水ファスナーエレメント列（務歯列）２２Ｌ，２２Ｒ、ファスナースライダー２３Ｌ，２３Ｒ及び膨出部２４を備える。
【００２６】
防水シート２１は長方形状又は正方形状に形作られている。防水シート２１が遮水性を有し、水が防水シート２１を通過しない。防水シート２１が可撓性を有し、防水シート２１を丸めたり、曲げたり、折り畳んだりすることができる。
【００２７】
防水ファスナーエレメント列２２Ｌが防水シート２１の左縁に設けられている。防水ファスナーエレメント列２２Ｌは、防水シート２１の左縁に沿って直線状に配列されるようにして防水シート２１の左縁に取り付けられた複数の務歯（エレメント）からなる。ファスナースライダー２３Ｌは、防水ファスナーエレメント列２２Ｌに沿ってスライドするように防水ファスナーエレメント列２２Ｌに取り付けられている。
同様にして、防水シート２１の右縁にも防水ファスナーエレメント列２２Ｒが設けられ、ファスナースライダー２３Ｒが防水ファスナーエレメント列２２Ｒに沿ってスライドする。
【００２８】
防水シート２１の下縁には、防水シート２１の厚み方向に膨出した膨出部２４が形成されている。この膨出部２４は、防水シート２１の左下の角部から右下の角部まで防水シート２１の下縁に沿って一直線状に延びている。膨出部２４には、芯材（例えば、可撓性の樹脂製芯材又は可撓性の金属ワイヤー）が埋め込まれていることが好ましい。
【００２９】
図１〜図４に示すように、シート支持装置３０は、支持部３１Ｌ，３１Ｒ、帯状防水シート３２Ｌ，３２Ｒ、防水ファスナーエレメント列３４Ｌ，３４Ｒ、ブラケット３５Ｌ，３５Ｒ、ストッパ３６Ｌ，３６Ｒ、止め材３７Ｌ，３７Ｒ、凹部３８、シール３９及び埋込材４５等を備える。
【００３０】
支持部３１Ｌが開口部２の左縁に沿って設けられ、支持部３１Ｒが開口部２の右縁に沿って設けられている。具体的には、支持部３１Ｌ，３１Ｒが立てられた状態に設けられた支柱であり、支持部３１Ｌ，３１Ｒが側部３Ｌ，３Ｒの屋外側の面にそれぞれ取り付けられ、その支持部３１Ｌ，３１Ｒが開口部２の左右の縁にそれぞれ沿っている。
【００３１】
開口部２の底面４の屋外側の箇所に凹部３８が形成されている。この凹部３８は、支持部３１Ｌの下端の前から支持部３１Ｒの下端の前まで開口部２の前を左右に横切る。凹部３８の底３８ａと開口部２の底面４とを結ぶ立壁面３８ｂが支持部３１Ｌ，３１Ｒの前面と面一となっている。凹部３８の底３８ａには、一又は複数の水抜き穴が設けられている。
【００３２】
シール３９は、正面から見てＵ字型のシートである。支持部３１Ｌ，３１Ｒの前面の下部及び凹部３８の立壁面３８ｂに貼り付けられている。シール３９は、ゴム材料（例えば、ＥＰＤＭゴム）からなり、より具体的には発泡成形されたゴム発泡体である。例えば、日東電工株式会社製のエプトシーラー（登録商標）をシール３９に使用する。
【００３３】
帯状防水シート３２Ｌ，３２Ｒは遮水性及び可撓性を有する。
帯状防水シート３２Ｌは上下方向に延びて、帯状に形成されている。帯状防水シート３２Ｌが支持部３１Ｌの前面に取り付けられ、帯状防水シート３２Ｌの下部３３Ｌが支持部３１Ｌの前面から垂下する。
【００３４】
具体的には、帯状防水シート３２Ｌがシール３９（特に、支持部３１Ｌの前面に貼り付けられた部分）の前に重なって、帯状防水シート３２Ｌ及びシール３９が帯板状のブラケット３５Ｌと支持部３１Ｌとの間に挟み込まれ、そのブラケット３５Ｌ、帯状防水シート３２Ｌ及びシール３９がネジ等によって支持部３１Ｌに固定されている。帯状防水シート３２Ｌが支持部３１Ｌの前面の右縁からはみ出ている。ブラケット３５Ｌの下端が支持部３１Ｌの下端よりも上に位置し、帯状防水シート３２Ｌの下部３３Ｌがブラケット３５Ｌの下端から垂れ下がっている。また、帯状防水シート３２Ｌが支持部３１Ｌよりも下に長く設けられ、帯状防水シート３２Ｌの下部３３Ｌが支持部３１Ｌの下端からはみ出ている。
【００３５】
同様にして、帯状防水シート３２Ｒもブラケット３５Ｒによって支持部３１Ｒの前面に取り付けられ、帯状防水シート３２Ｒ及びシール３９（特に、支持部３１Ｒの前面に貼り付けられた部分）が支持部３１Ｒに共締めされている。
【００３６】
ブラケット３５Ｌとストッパ３６Ｌが一体に設けられ、ストッパ３６Ｌがブラケット３５Ｌの下端においてブラケット３５Ｌに対して折り曲げられることによって、ストッパ３６Ｌ及びブラケット３５ＬがＬ字型に形作られている。ストッパ３６Ｌは、支持部３１Ｌの前面から前へ突き出ているとともに、凹部３６の上側開口を縁取る面から上に離れている。
同様にして、ブラケット３５Ｒとストッパ３６Ｒが一体に設けられている。
【００３７】
帯状防水シート３２Ｌの右縁には、防水ファスナーエレメント列３４Ｌが設けられている。防水ファスナーエレメント列３４Ｌは、帯状防水シート３２Ｌの右縁に沿って直線状に配列されるようにして帯状防水シート３２Ｌの右縁に取り付けられた複数の務歯（エレメント）からなる。
同様にして、帯状防水シート３２Ｒの左縁にも防水ファスナーエレメント列３４Ｒが設けられている。
【００３８】
防水ファスナーエレメント列３４Ｌが防水ファスナーエレメント列２２Ｌに噛み合い可能であり、それらの噛み合い及び分離はファスナースライダー２３Ｌのスライドによってなされる。ここで、ファスナースライダー２３Ｌは、防水ファスナーエレメント列３４Ｌ及び防水ファスナーエレメント列２２Ｌに沿って下にスライドすることによって防水ファスナーエレメント列３４Ｌと防水ファスナーエレメント列２２Ｌを噛み合わせ、上にスライドすることによって防水ファスナーエレメント列３４Ｌと防水ファスナーエレメント列２２Ｌを分離させる。このような構成の防水ファスナーは全開可能なものである。また、防水ファスナーエレメント列３４Ｌと防水ファスナーエレメント列２２Ｌの上端に連結具（例えば、蝶棒、箱棒、箱体）が設けられ、防水ファスナーエレメント列３４Ｌの上端と防水ファスナーエレメント列２２Ｌの上端同士を連結具によって着脱可能である。
防水ファスナーエレメント列３４Ｒ及び防水ファスナーエレメント列２２Ｒについても同様である。
なお、ファスナースライダー２３Ｌ，２３Ｒが防水ファスナーエレメント列２２Ｌ，２２Ｒに設けられているのではなく、防水ファスナーエレメント列３４Ｌ，３４Ｒに設けられていてもよい。
【００３９】
埋込材４５は棒状に設けられている。この埋込材４５は、横にした状態で凹部３８に嵌め込み可能であるとともに、その凹部３８から取り外し可能である。埋込材４５が凹部３８に嵌め込まれた状態では、埋込材４５がストッパ３６Ｌ，３６Ｒから下に離れている。シール３９が埋込材４５によって圧縮される。
【００４０】
埋込材４５は変形しにくい硬質な材料（剛体）からなる。例えば、埋込材４５は木材、金属材又はプラスチック材である。なお、埋込材４５がゴム弾性体からなり、埋込材４５が凹部３８に嵌め込まれる時に埋込材４５が圧縮されてもよい。
【００４１】
図１〜図３に示すように、防水シート２１が両サイドの防水ファスナーによって帯状防水シート３２Ｌ，３２Ｒに連結された状態で、埋込材４５が防水シート２１の下部及び帯状防水シート３２Ｌ，３２Ｒの下部３３Ｌ，３３Ｒの上から凹部３８に嵌め込まれている。そして、防水シート２１の下部及び帯状防水シート３２Ｌ，３２Ｒの下部３３Ｌ，３３Ｒが埋込材４５によって折り返されて、防水シート２１の下部及び帯状防水シート３２Ｌ，３２Ｒの下部３３Ｌ，３３Ｒが埋込材４５に巻き込まれ、防水シート２１の下部及び帯状防水シート３２Ｌ，３２Ｒの下部３３Ｌ，３３Ｒが凹部３８の内面と埋込材４５との間に挟まれている。また、防水シート２１及び帯状防水シート３２Ｌ，３２Ｒの下端部が凹部３８からはみ出ており、膨出部２４が凹部３８から突き出ている。
【００４２】
止め材３７Ｌが埋込材４５とストッパ３６Ｌとの間に挟まれ、帯状防水シート３２Ｌ及びシール３９が止め材３７Ｌと支持部３１Ｌとの間に挟まれている。つまり、止め材３７Ｌ及びストッパ３６Ｌからなる抜け止め部によって、凹部３８から埋込材４５の抜けが防止される。止め材３７Ｒ及びストッパ３７Ｒについても同様である。
【００４３】
続いて、浸水防止装置１０の使用方法について説明する。
（Ａ）通常時における浸水防止装置１０の状態
図３及び図４に示すように、浸水の虞のない通常時において、防水面材２０の両サイドの防水ファスナーが全開であり、防水面材２０がシート支持装置３０から取り外さている。止め材３７Ｌ，３７Ｒがストッパ３６Ｌ，３６Ｒの下から外されている。止め材３７Ｌ，３７Ｒがストッパ３６Ｌ，３６Ｒの下から外されている。そして、防水面材２０、止め材３７Ｌ，３７Ｒ及び埋込材４５が保管庫等に保管される。
凹部３８の上に板状の蓋が被せられ、凹部３８が蓋によって閉塞される。なお、埋込材４５が凹部３８に嵌め込まれた状態で、凹部３８に蓋が被されてもよい。
【００４４】
（Ｂ）非常時における防水面材２０の設置方法
防水面材２０、止め材３７Ｌ，３７Ｒ及び埋込材４５を準備する。
次に、凹部３８の上の蓋を外す（図３、図４参照）。埋込材４５が凹部３８に嵌め込まれている場合には、埋込材４５を凹部３８から抜き取る。
【００４５】
次に、防水シート２１を開口部２に広げる。そして、防水面材２０の防水ファスナーエレメント列２２Ｌの上端と帯状防水シート３２Ｌの防水ファスナーエレメント列３４Ｌの上端を連結し、ファスナースライダー２３Ｌを防水ファスナーエレメント列２２Ｌ，３４Ｌの上端から下端へ防水ファスナーエレメント列２２Ｌ，３４Ｌに沿ってスライドさせる。これにより、左側の防水ファスナーを閉じて、防水シート２１の左縁を帯状防水シート３２Ｌの右縁に連結する（図７参照）。同様にして、防水シート２１の右縁を右側の帯状防水シート３２Ｒの左縁に連結する（図７参照）。
【００４６】
次に、防水シート２１及び帯状防水シート３２Ｌ，３２Ｒを下に引っ張って、防水シート２１の下部及び帯状防水シート３２Ｌ，３２Ｒの下部３３Ｌ，３３Ｒを凹部３８に入れて、防水シート２１の下部及び帯状防水シート３２Ｌ，３２Ｒの下部３３Ｌ，３３Ｒを凹部３８の内面に沿わせるように曲げて、防水シート２１の下部及び帯状防水シート３２Ｌ，３２Ｒの下部３３Ｌ，３３Ｒを折り返す（図８参照）。
【００４７】
次に、埋込材４５を防水シート２１の下部及び帯状防水シート３２Ｌ，３２Ｒの下部３３Ｌ，３３Ｒの上から凹部３８に嵌め込む（図９参照）。これにより、防水シート２１及び帯状防水シート３２Ｌ，３２Ｒの下部を埋込材４５に巻き込み、防水シート２１及び帯状防水シート３２Ｌ，３２Ｒを凹部３８の内面と埋込材４５との間に挟み込む（図３参照）。
【００４８】
次に、止め材３７Ｌをストッパ３６Ｌと埋込材４５との間に差し込み、止め材３７Ｌを帯状防水シート３２Ｌに押し当てる（図１〜図３参照）。止め材３８Ｒも同様にする。
【００４９】
（Ｃ）非常時から通常時に復帰したときにおける浸水防止装置１０の解体方法
まず、止め材３７Ｌ，３７Ｒをストッパ３６Ｌ，３６Ｒの下から取り外す。
次に、埋込材４５を凹部３８から抜き出す。
次に、ファスナースライダー２３Ｌを防水ファスナーエレメント列２２Ｌ，３４Ｌの下端から上端へ防水ファスナーエレメント列２２Ｌ，３４Ｌに沿ってスライドさせ、左側の防水ファスナーを全開にする。同様に、右側の防水ファスナーも全開にする。
次に、凹部３８の上に蓋を被せて、凹部３８の開口を蓋によって塞ぐ。
次に、防水面材２０を折り畳み、防水面材２０、止め材３７Ｌ，３７Ｒ及び埋込材４５を保管庫等に保管する。
【００５０】
本実施の形態によれば、次のような作用効果が生じる。
（１）  左右の帯状防水シート３２Ｌ，３２Ｒとこれらに連結された防水シート２１が開口部２に張られた状態に設けられているので、屋外が雨水等によって浸水しても、その水が防水シート２１及び帯状防水シート３２Ｌ，３２Ｒによって堰き止められる。
【００５１】
（２）  防水シート２１の左右の防水ファスナーを利用したので、防水シート２１の着脱が容易である。つまり、防水シート２１を広げて、左右の防水ファスナーを閉じるだけで、防水シート２１を帯状防水シート３２Ｌ，３２Ｒに簡単に連結することができる。逆に、左右の防水ファスナーを開くだけで、防水シート２１を帯状防水シート３２Ｌ，３２Ｒから簡単に取り外すことができる。
【００５２】
（３）  防水ファスナーを利用したので、防水シート２１と帯状防水シート３２Ｌ，３２Ｒの境界部の止水性・水密性が高く実現される。
【００５３】
（４）  防水シート２１を防水ファスナーによって帯状防水シート３２Ｌ，３２Ｒに連結すれば、開口部２の左側及び右側の浸水防止を実現することができる。埋込材４５が帯状防水シート３２Ｌ，３２Ｒの下部３３Ｌ，３３Ｒ及び防水シート２１の下部の上から凹部３８に嵌め込まれることによって、開口部２の下側の浸水防止を実現することができる。
【００５４】
（５）  防水シート２１が帯状防水シート３２Ｌ，３２Ｒに連結され、帯状防水シート３２Ｌ，３２Ｒが支持部３１Ｌ，３１Ｒに固定されることによって、防水シート２１及び帯状防水シート３２Ｌ，３２Ｒが張った状態になる。防水シート２１及び帯状防水シート３２Ｌ，３２Ｒに水圧がかかっても、帯状防水シート３２Ｌ，３２Ｒが支持部３１Ｌ，３２Ｒから外れにくく、防水シート２１の下部及び帯状防水シート３２Ｌ，３２Ｒの下部３３Ｌ，３３Ｒが凹部３８から外れにくい。つまり、従来技術（特開２０１０−７７６８５号公報の技術）では、シートの下部及び両側部が弾性体とともに凹部に嵌め込まれているだけであるから、シートに水圧がかかると、シートの下部及び両側部が凹部から抜けやすかったのに対し、本実施形態では、帯状防水シート３２Ｌ，３２Ｒが支持部３１Ｌ，３１Ｒに予め固定されているので、防水シート２１の下部及び帯状防水シート３２Ｌ，３２Ｒの下部３３Ｌ，３３Ｒが凹部３８から外れにくい。
【００５５】
（６）  シール３９が凹部３８の立壁面３８ｂに設けられているため、帯状防水シート３２Ｌ，３２Ｒの下部３３Ｌ，３３Ｒ及び防水シート２１の下部と凹部３８の立壁面３８ｂとの間の止水性が向上する。また、シール３９が埋込材４５によって弾性的に圧縮されているので、凹部３８から埋込材４５が抜けることを防止することができる。
【００５６】
（７）  シール３９のうち凹部３８から上に延び出た部分が帯状防水シート３２Ｌ，３２Ｒと支持部３１Ｌ，３１Ｒとの間に挟まれているので、その部分の止水性が向上する。
【００５７】
（８）  止め材３７Ｌ，３７Ｒがストッパ３６Ｌ，３６Ｒと埋込材４５との間に挟まれているので、埋込材４５が凹部３８から抜けてしまうことを防止することができる。また、止め材３７Ｌ，３８Ｒ及び埋込材４５の浮力がストッパ３６Ｌ，３６Ｒに受けられ、埋込材４５が凹部３８から抜けにくい。
【００５８】
（９）  ファスナースライダー２３Ｌ，２３Ｒを下にスライドすることによって防水ファスナーを閉じるようになっているため、防水シート２１の設置が容易である。特に、防水シート２１の設置時に浸水していた場合、防水ファスナーエレメント列２２Ｌと防水ファスナーエレメント列３４Ｌの上端同士を連結する作業を水中で行わずに済む。
【００５９】
（１０）  水圧によって防水シート２１が引っ張られても、防水シート２１の下端に設けられた膨出部２４が埋込材４５の上面に引っ掛かるので、防水シート２１の下部が凹部３８の内面と埋込材４５との間から抜けてしまうことを防止することができる。
【００６０】
〔変形例〕
上記実施形態の変形例について説明する。変形例については、上述のように構成された浸水防止装置１０から変更した点の説明をする。変更点以外は上述の浸水防止装置１０の構成と同様であるので、変更点以外の説明を省略する。
【００６１】
〔変形例１〕
上述の実施の形態では、ブラケット３５Ｌ，３５Ｒの下端が開口部２の底面４よりも上に位置する。それに対して、変形例１では、ブラケット３５Ｌ，３５Ｒが更に下まで延在し、ブラケット３５Ｌ，３５Ｒの下端が支持部３１Ｌ，３１Ｒの下端にまで至って、帯状防水シート３２Ｌ，３２Ｒがストッパ３６Ｌ，３６Ｒから支持部３１Ｌ，３１Ｒの前面の下端までの範囲でも支持部３１Ｌ，３１Ｒに固定されている。更に、ブラケット３５Ｌ，３５Ｒが凹部３８内まで至って、ブラケット３５Ｌ，３５Ｒの下部が立壁面３８ｂに締結されてもよい。何れの場合でも、ブラケット３５Ｌ，３５Ｒとストッパ３６Ｌ，３６Ｒの組み合わせは側方から見てＴ字型に形作られている。
【００６２】
〔変形例２〕
止め材３７Ｌ，３７Ｒを省略してもよい。この場合、埋込材４５がストッパ３６Ｌ，３６Ｒに直接当接して、埋込材４５が凹部３８から抜けることを防止する。この場合、止め材３７Ｌ，３７Ｒが抜け止め部に相当する。
【００６３】
〔変形例３〕
上述の実施の形態では、帯状防水シート３２Ｌ，３２Ｒが支持部３１Ｌ，３１Ｒを介して開口部２の側部３Ｌ，３Ｒに設けられている。それに対して、変形例３では、帯状防水シート３２Ｌ，３２Ｒがブラケット３５Ｌ，３５Ｒによって側部３Ｌ，３Ｒの屋外側の面に直接固定されている。この場合、凹部３８の立壁面３８ｂは側部３Ｌ，３Ｒの屋外側の面と面一になる。
【００６４】
なお、帯状防水シート３２Ｌ，３２Ｒがブラケット３５Ｌ，３５Ｒによって側部３Ｌ，３Ｒの屋内側の面に直接固定されてもよい。この場合、凹部３８は開口部２の底面４の屋内側の箇所に形成され、凹部３８の立壁面３８ｂは側部３Ｌ，３Ｒの屋内側の面と面一になる。また、この場合、開閉体９は設置済みの防水面材２０よりも屋外側にあるので、開閉体９が外開き戸であると、浸水時に後述の防水面材２０を設置した状態でも、開閉体９を開閉することができる。
【００６５】
〔変形例４〕
上述の実施の形態では、支持部３１Ｌ，３１Ｒが側部３Ｌ，３Ｒの屋外側の面にそれぞれ取り付けられている。それに対して、変形例４では、図１０に示すように、支持部３１Ｌ，３１Ｒが開口部２の左右の側面（側部３Ｌ，３Ｒの内側の面）にそれぞれ取り付けられている。
【００６６】
なお、開口部２の左右の側面に左右一対の凹部がそれぞれ形成され、それら凹部が開口部２の底面４から上方へ上下方向に沿って延在し、支持部３１Ｌ，３１Ｒがそれら凹部内にそれぞれ取り付けられていてもよい。この場合、開口部２の左右の側面に形成された凹部の下端が凹部３８の左右両端に続いている。また、通常時に防水面材２０を取り外した状態では、開口部２の左右の側面に形成された凹部が蓋によって閉塞されていることが好ましい。
【００６７】
〔変形例５〕
変形例５では、埋込材４５が複数に分割されている。例えば、埋込材４５が前後に２つに分割されているか、左右に２つに分割されている。
【００６８】
〔変形例６〕
変形例６では、図１１に示すように埋込材４５の周面が凹凸状に形成されている。具体的には、埋込材４５の周面のうち凹部３８の立壁面３８ｂに対向する面に凹凸部４５ａが形成され、その反対側の面にも凹凸部４５ｂが形成されている。凹凸部４５ａ，４５ｂは埋込材４５の長手方向（左右方向）に延びた複数の凸部及び凹部からなる。
【００６９】
また、凹部３８の内面も凹凸状に形成されている。具体的には、立壁面３８ｂの反対側の立壁面３８ｃに凹凸部３８ｄが形成されている。凹凸部３８ｄは凹部３８の長手方向（左右方向）に延びた複数の凸部及び凹部からなる。
【００７０】
埋込材４５が凹部３８に嵌め込まれると、凹凸部４５ａによってシール３９が圧縮され、シール３９の表面が凹凸部４５ａの表面に沿った形状に変形する。そのため、埋込材４５が凹部３８から抜けづらくなる。
【００７１】
また、防水シート２１の下部が埋込材４５の凹凸部４５ｂと立壁面３８ｃの凹凸部３８ｄとの間に挟まれ、摩擦抵抗が高くなる。そのため、埋込材４５が凹部３８から抜けづらくなる。
【００７２】
なお、シール３９が立壁面３８ｂに貼り付けられていない状態にして、立壁面３８ｂに凹凸部が形成されていてもよい。この場合、防水シート２１の下部が埋込材４５の凹凸部４５ａと立壁面３８ｂの凹凸部との間に挟まれ、摩擦抵抗が高くなる。
【００７３】
〔変形例７〕
変形例７では、図１２に示すように、防水シート２１の下部が凹凸状に形成されている。具体的には、防水シート２１の一方の面に凹凸部２１ａが形成されている。凹凸部２１ａは左右方向に延びた複数の凸部及び凹部からなる。
また、変形例６の場合と同様に、立壁面３８ｂの反対側の立壁面３８ｃに凹凸部３８ｄが形成されている。
【００７４】
埋込材４５が防水シート２１の下部及び帯状防水シート３２Ｌ，３２Ｒの下部３３Ｌ，３３Ｒの上から凹部３８に嵌め込まれると、シール３９の表面が凹凸部２１ａの表面に沿った形状に変形する。また、防水シート２１の下部の凹凸部２１ａが立壁面３８ｃの凹凸部３８ｄに接触したり、凹凸部２１ａと凹凸部３８ｄが噛み合ったりすることによって、防水シート２１が凹部３８の内面に対して滑りにくくなる。そのため、埋込材４５が凹部３８から抜けづらくなるとともに、防水シート２１に水圧がかかっても、防水シート２１の下部が埋込材４５と凹部３８の内面との間から抜けにくい。
【００７５】
〔変形例８〕
変形例８では、図１３及び図１４に示すように、埋込材４５が第一埋込材４５ｄ、第二埋込材４５ｅ及び突条４５ｆを有する。第一埋込材４５ｄが帯板状に設けられている。第一埋込材４５ｄの一方の面には、突条４５ｆが突出した状態に設けられている。突条４５ｆが第一埋込材４５ｄの長手方向に沿って延在する。突条４５ｆは変形しにくい硬質な材料（例えば、ステンレス鋼）からなる。突条４５ｆは、ステンレス製の硬質な丸棒を第一埋込材４５ｄの一方の面に溶接することによって得られたものである。そのため、突条４５ｆの頂面がシリンドリカル凸面状に形成されている。
【００７６】
第二埋込材４５ｅも帯板状に設けられている。第二埋込材４５ｅは変形しにくい硬質な材料であってもよいし、ゴム弾性体であってもよい。
【００７７】
また、立壁面３８ｂの反対側の立壁面３８ｃに突条３８ｅ，３８ｆが突出した状態に設けられている。突条３８ｅ，３８ｆが凹部３８の長手方向（左右方向）に沿って延在する。また、突条３８ｅ，３８ｆはこれらの間に間隔をおいて上下に並べられており、突条３８ｅ，３８ｆが互いに平行に設けられている。突条３８ｅ，３８ｆの間隔は突条４５ｆの幅にほぼ等しい。突条３８ｅ，３８ｆは、変形しにくい硬質な材料（例えば、ステンレス鋼）からなる。
【００７８】
第一埋込材４５ｄ、第二埋込材４５ｅ及び突条４５ｆの使用方法について説明する。
まず、上述したように防水シート２１を帯状防水シート３２Ｌ，３２Ｒに連結し、防水シート２１の下部及び帯状防水シート３２Ｌ，３２Ｒの下部３３Ｌ，３３Ｒを折り返して、折り返し部を凹部３８に入れる（図８参照）。
【００７９】
次に、第一埋込材４５ｄを防水シート２１の下部及び帯状防水シート３２Ｌ，３２Ｒの下部３３Ｌ，３３Ｒの上から凹部３８に収容して、突条４５ｆを立壁面３８ｃに向けて第一埋込材４５ｄを立壁面３８ｃに近づける（図１３参照）。こうして、突条４５ｆを突条３８ｅと突条３８ｆの間の隙間に嵌めて、突条４５ｆを突条３８ｅ，３８ｆに櫛歯状に噛み合わせる。これにより、防水シート２１の下部及び帯状防水シート３２Ｌ，３２Ｒの下部３３Ｌ，３３Ｒがこれら突条３８ｅ，３８ｆ，４５ｆの隙間を縫うようにして突条３８ｅ，３８ｆ，４５ｆの噛み合いに巻き込まれる。
【００８０】
次に、第二埋込材４５ｅを防水シート２１の下部及び帯状防水シート３２Ｌ，３２Ｒの下部３３Ｌ，３３Ｒの上から凹部３８の隙間に嵌め込む（図１４参照）。
【００８１】
突条４５ｆが突条３８ｅ，３８ｆに櫛歯状に噛み合っているので、第一埋込材４５ｄ及び第二埋込材４５ｅの抜けを防止することができる。
また、防水シート２１の下部及び帯状防水シート３２Ｌ，３２Ｒの下部３３Ｌ，３３Ｒがこれら突条３８ｅ，３８ｆ，４５ｆの隙間を縫うように設けられているので、防水シート２１及び帯状防水シート３２Ｌ，３２Ｒの滑りを抑えることができ、防水シート２１及び帯状防水シート３２Ｌ，３２Ｒに水圧がかかっても、防水シート２１及び帯状防水シート３２Ｌ，３２Ｒが抜けにくい。
また、突条３８ｅ，３８ｆ，４５ｆがステンレス鋼のように硬質な材料からなるので、突条３８ｅ，３８ｆ，４５ｆの経年劣化を抑えることができる。
【００８２】
第一埋込材４５ｄ及び第二埋込材４５ｅを取り外すに際しては、まず第二埋込材４５ｅを凹部３８から抜き、次に第一埋込材４５ｄを凹部３８から抜く。
【００８３】
〔変形例９〕
変形例９では、図１５及び図１６に示すように、埋込材４５の左部の周面には、防水ファスナーエレメント列２２Ｌ，３４Ｌの逃げ用の窪み４５ｊが形成されている。この窪み４５ｊが埋込材４５の周方向に沿って設けられており、埋込材４５が窪み４５ｊにおいて括れている。同様に、埋込材４５の右部の周面にも、防水ファスナーエレメント列２２Ｒ，３４Ｒの逃げ用の窪みが形成されている。
【００８４】
埋込材４５を凹部３８に嵌め込む前に、帯状の弾性シート４５ｋを窪み４５ｊに巻き、右側の窪みにも帯状の弾性シートを巻く。弾性シート４５ｋ及び窪み４５ｊを防水ファスナーエレメント列２２Ｌ，３４Ｌに合わせながら、且つ、右側の弾性シート及び窪みを防水ファスナーエレメント列２２Ｒ，３４Ｒに合わせながら、埋込材４５を防水シート２１の下部及び帯状防水シート３２Ｌ，３２Ｒの下部３３Ｌ，３３Ｒの上から凹部３８に嵌め込む。
【００８５】
防水ファスナーエレメント列２２Ｌ，３４Ｌが防水シート２１及び帯状防水シート３２Ｌ，３２Ｒよりも厚いので、防水ファスナーエレメント列２２Ｌ，３４Ｌによって弾性シート４５ｋが圧縮される。また、防水ファスナーエレメント列２２Ｌ，３４Ｌが窪み４５ｊ内に逃げ、防水シート２１及び帯状防水シート３２Ｌ，３２Ｒと埋込材４５との間の隙間が殆ど無くなり、防水シート２１及び帯状防水シート３２Ｌ，３２Ｒが凹部３８の内面により密に接触する。よって、止水性が向上する。
また、弾性シート４５ｋを上に引けば、埋込材４５を凹部４８から抜くことができる。ここで、弾性シート４５ｋを掴みやすいように、弾性シート４５ｋの両端部に開口４５ｍが形成されている。
【００８６】
〔変形例１０〕
変形例１０では、止め材３７Ｒ及びストッパ３６Ｒの代わりに、ヒンジ型の抜け止め部５０Ｒを採用する。ここで、抜け止め部５０Ｒは板状の支持片５１Ｒ、軸５２Ｒ及びＬ字型板状の止め部５３Ｒを備える。支持片５１Ｒが支持部３１Ｒの前面の下部に固定され、軸５２Ｒが支持片５１Ｒの下縁に沿って設けられ、その軸５２Ｒによって止め部５３Ｒが支持片５１Ｒに連結されている。止め部５３Ｒを下に回転させると、止め部５３Ｒが埋込材４５の上面に当接して、埋込材４５の抜けが防止される。止め部５３Ｒを上に回転させると、止め部５３Ｒが埋込材４５から離れて、埋込材４５を凹部３８から抜くことができる。
なお、左の止め材３７Ｌ及びストッパ３６Ｌの代わりにも、抜け止め部５０Ｒと同様の構成のヒンジ型の抜け止め部を採用する。
【符号の説明】
【００８７】
２  開口部
３Ｌ，３Ｒ  側部
４  底面
１０  浸水防止装置
２１  防水シート
２２Ｌ，２２Ｒ  防水ファスナーエレメント列（第二防水ファスナーエレメント列）
２３Ｌ，２３Ｒ  ファスナースライダー
３２Ｌ，３２Ｒ  帯状防水シート
３４Ｌ，３４Ｒ  防水ファスナーエレメント列（第一防水ファスナーエレメント列）
３６Ｌ，３６Ｒ  ストッパ
３７Ｌ，３７Ｒ  止め材
３８  凹部
３９  シール
４５  埋込材
【図１】
0006444130.tif 000002
【図２】
0006444130.tif 000003
【図３】
0006444130.tif 000004
【図４】
0006444130.tif 000005
【図５】
0006444130.tif 000006
【図６】
0006444130.tif 000007
【図７】
0006444130.tif 000008
【図８】
0006444130.tif 000009
【図９】
0006444130.tif 000010
【図１０】
0006444130.tif 000011
【図１１】
0006444130.tif 000012
【図１２】
0006444130.tif 000013
【図１３】
0006444130.tif 000014
【図１４】
0006444130.tif 000015
【図１５】
0006444130.tif 000016
【図１６】
0006444130.tif 000017
【図１７】
0006444130.tif 000018